(57)【要約】【課題】さまざまな水路や状況に柔軟に対応することが可能な流水中の除塵方法及び除塵用スクリーンを提供しようとするものである。【解決手段】スクリーンと、通常スクリーンの上部に位置しているレーキとを備えた除塵用スクリーンを用い、レーキをスクリーンに沿って降下させて夾雑物をスクリーンの下部に押しやるとともに、水の流れを通常の水の流れとは逆方向に反転させることにより、スクリーンから分離した夾雑物をスクリーンの下部から通常の水の流れとは逆方向に排出させるようにしたことを特徴とする流水中の除塵方法。【選択図】    図３
2008297724.tif 000002
【特許請求の範囲】
【請求項１】
スクリーンと、通常スクリーンの上部に位置しているレーキとを備えた除塵用スクリーンを用い、レーキをスクリーンに沿って降下させて夾雑物をスクリーンの下部に押しやるとともに、水の流れを通常の水の流れとは逆方向に反転させることにより、スクリーンから分離した夾雑物をスクリーンの下部から通常の水の流れとは逆方向に排出させるようにしたことを特徴とする流水中の除塵方法。
【請求項２】
スクリーンと、通常スクリーンの上部に位置しているレーキとを備えた除塵用スクリーンを用い、レーキをスクリーンに沿って降下させ、夾雑物をスクリーンの下部に押しやった状態で、上部の通水能力を回復させ、そのまま除塵を続行するようにしたことを特徴とする請求項１に記載の流水中の除塵方法。
【請求項３】
スクリーンが円弧状をなし、レーキも円弧状のスクリーンの面に沿って回動するようにした除塵スクリーンを用いることを特徴とする請求項１または２に記載の流水中の除塵方法。
【発明の詳細な説明】
【技術分野】
【０００１】
この発明は、流水中の除塵方法に係り、特に、夾雑物を水面より上に掻き揚げることなくスクリーンから分離・排除し、除塵用スクリーンとしての機能を効率よく回復させることができるようにしたものである。
【背景技術】
【０００２】
従来の除塵装置はすべて、スクリーンで捕獲した夾雑物をレーキで掻き揚げて別な場所に集積し、いわゆる産業廃棄物として処理していた。
【０００３】
しかしながら従来のレーキ掻き揚げ式のスクリーンの場合、以下の点が課題となる。
ａ．夾雑物は、水面より上に掻き揚げた時点で産業廃棄物となり、再び水中に戻すことができなくなる。
ｂ．そのため夾雑物の掻き揚げ装置の他に、掻き揚げた夾雑物の移動集積装置が必要となり、集積された夾雑物に対しては、産業廃棄物としての処理が必要となる。
【０００４】
そこで本発明者は、特開２００６−１７７１３３公報（特許文献１参照）に示すような、昇降可能な可動スクリーンと、通常可動スクリーンの上部に位置しているレーキとを備え、レーキを可動スクリーンに沿って降下させて夾雑物をスクリーンの下部に押しやるとともに、レーキ位置より上まで可動スクリーンの下端を上昇させることにより、可動スクリーンから分離した夾雑物を可動スクリーンの下部から排出させるようにした除塵用スクリーンを提案した。
【特許文献１】特開２００６−１７７１３３公報
【発明の開示】
【発明が解決しようとする課題】
【０００５】
しかしながら上記従来例においては、可動スクリーンの下端を上昇させることにより、可動スクリーンから分離した夾雑物を可動スクリーンの下部から排出させる方法しか提案されておらず、さまざまな水路や状況に柔軟に対応できないという問題があった。
そこでこの発明は、さまざまな水路や状況に柔軟に対応することが可能な流水中の除塵方法を提供しようとするものである。
【課題を解決するための手段】
【０００６】
すなわちこの発明の流水中の除塵方法は、スクリーンと、通常スクリーンの上部に位置しているレーキとを備えた除塵用スクリーンを用い、レーキをスクリーンに沿って降下させて夾雑物をスクリーンの下部に押しやるとともに、水の流れを通常の水の流れとは逆方向に反転させることにより、スクリーンから分離した夾雑物をスクリーンの下部から通常の水の流れとは逆方向に排出させるようにしたことを特徴とするものである。
【０００７】
この発明の流水中の除塵方法は、前記スクリーンと、通常スクリーンの上部に位置しているレーキとを備えた除塵用スクリーンを用い、レーキをスクリーンに沿って降下させ、夾雑物をスクリーンの下部に押しやった状態で、上部の通水能力を回復させ、そのまま除塵を続行するようにしたことを特徴とするものである。
【０００８】
この発明の流水中の除塵方法は、前記スクリーンが円弧状をなし、レーキも円弧状のスクリーンの面に沿って回動するようにした除塵スクリーンを用いることを特徴とするものである。
【発明の効果】
【０００９】
この発明の流水中の除塵方法及び除塵用スクリーンによれば以下のような効果を得ることができる。
Ａ．夾雑物を水中で集積させ、スクリーンから分離させるため、夾雑物は産業廃棄物とならず、そのまま通常の水の流れとは逆方向に放流することができる。
Ｂ．産業廃棄物が発生しないので、移動集積装置及び処理が不用となる。
【００１０】
また、上記一連のプロセス、
１）レーキをスクリーンに沿って降下させ、夾雑物をスクリーンの下部に押しやった状態で、上部の通水能力を回復させてそのまま通水する。
２）レーキをスクリーンに沿って降下させ、かつスクリーンを設置した流路における水の流れを、通常の水の流れとは逆方向に反転させて、スクリーンから夾雑物を分離させて水の流れに乗って押し流す。
という工程を制御システムにおいてプログラムすることにより、スクリーンの除塵機能を自動的に維持させることができ、夾雑物を水中で処理するために産業廃棄物が発生せず、除塵システムを簡素化することができる。
なお、水の流れを、通常の水の流れとは逆方向に反転させ、スクリーンから夾雑物を分離・排除する作業中は、もちろん発電等の用に供することはできない。
【発明を実施するための最良の形態】
【００１１】
以下この発明の除塵用スクリーンの実施の形態を、図面に基いて詳細に説明する。
図１はこの発明の除塵用スクリーンの１実施例を示す概略正面図、図２は可動スクリーン部分の概略側面図、図３は夾雑物の処理工程を示す説明図、図４はこの発明の除塵用スクリーンを設置した水路を説明する概略図である。
【００１２】
図１および図２において、１１はコンクリート製の水路であり、その両側壁にはスクリーン１２を水路に取り付けるためのガイド溝１３が、下方が上流方向に向かうよう斜めに形成されている。そしてこのガイド溝１３にはスクリーン固定軸１４がはめ込まれ、ガイド溝１３内に保持されている。
【００１３】
上記スクリーン１２の上部には降下式レーキ１５が取り付けられており、その爪部１６がスクリーン１２の隙間にはめ込まれる状態で下向きに保持されている。
この降下式レーキ１５の駆動は、降下時にはそれ自体の自重で降下させ、引き揚げる際は巻き上げ式ワイヤによって上昇させたり、油圧シリンダその他の駆動装置で昇降させたりすることができる。
【００１４】
次に、図３に基いてこの発明の除塵用スクリーンの操作方法を説明する。
（ａ）ステップ１
除塵用スクリーンの主目的である除塵時は、水路の底まで達するスクリーン（１ａ）１２に取り付けた降下式レーキ（１ｂ）１５を水面よりも上に引き揚げておく。
（ｂ）ステップ２
スクリーン（１ａ）１２から夾雑物２１を取り除く場合は、降下式レーキ（１ｂ）１５をスクリーン（１ａ）１２に沿って水中に降下させ、スクリーン（１ａ）１２が捕捉した夾雑物（イ）２１を底周辺に押し下げる。このように降下式レーキ（１ｂ）１５をスクリーン（１ａ）１２に沿って降下させ、夾雑物（イ）２１をスクリーン（１ａ）１２の下部に押しやった状態では、上部の通水能力が回復するのでそのまま通水することができる。
（ｃ）ステップ３
スクリーン（１ａ）１２から夾雑物２１を取り除く操作は、水路中の水の流れを反転させて行う。すなわち、水路中の水の流れを逆方向にした状態で、降下式レーキ（１ｂ）１５を所定の位置まで降ろすと、夾雑物（イ）２１は降下式レーキ（１ｂ）１５の下に取り残される。その際、水路の底面に上流側が低くなる段差２２を設けておけば、夾雑物（イ）２１はスクリーン（１ａ）１２から確実に分離される。
スクリーン（１ａ）１２から分離し、段差２２部分に取り残された夾雑物（イ）２１は、スクリーン（１ａ）１２による拘束がなくなるので、水の流れに乗って通常の水の流れとは逆方向に排除される。
（ｄ）ステップ４
必要に応じて、スクリーン（１ａ）１２に取り付けた降下式レーキ（１ｂ）１５を水面より上に上昇させると水面付近を浮遊していた夾雑物（イ）２１も通常の水の流れとは逆方向に排除される。
さらに、スクリーン（１ａ）１２に取り付けた降下式レーキ（１ｂ）１５を最初の位置にセットし、水の流れも通常時の状態に戻して再び除塵を開始する（ステップ１）。以上のプロセスを繰り返すことにより、スクリーンの除塵機能は維持される。
【００１５】
上記した（ａ）〜（ｄ）の一連のステップを制御システムにおいてプログラムすることにより、スクリーンにおける除塵機能を自動的に維持させることができ、夾雑物を水中で処理するために産業廃棄物が発生せず、除塵システムを簡素化することができる。
なお、水路中の水の流れを反転させ、スクリーンから夾雑物を分離・排除する作業中は、当然発電等の用に供することはできない。
【００１６】
図４にこの発明の除塵用スクリーンを設置した水路の概略図を示す。
河川３１等から導かれた水路１１にはこの発明の除塵用スクリーンを構成するスクリーン１２および降下式レーキ１５が設置されている。
先ず、除塵用スクリーンを稼動する状態（実線）においては、スクリーン１２の後方に設置したゲート３２は引上げられ、あるいは倒伏して開放されている。他方副水路３４に設置したゲート３５は引き下げられ、あるいは起立して閉鎖されている。また水路１１の入口には主ゲート３６が、水路１１のスクリーン１２の手前の対向面には逆洗用のゲート３７が設けられている。
すなわち、ステップ１）からステップ２）に移行する状態では、降下式レーキ１５をスクリーン１２に沿って降下させ、夾雑物２１をスクリーン１２の下部に押しやった状態で、上部の通水能力を回復させてそのまま通水する。除塵後の水は簡易型発電設備３３等において適宜使用される。
【００１７】
次に、除塵用スクリーンから夾雑物２１を除去する状態においては、スクリーン１２の後方に設置したゲート３２は引下げられ、あるいは起立して閉鎖されている。
すなわち、ステップ３）において、降下式レーキ１５をスクリーン１２に沿って降下させた状態で、ゲート３５を開放するとともに、水路１１の入口の主ゲート３６を閉じ、水路１１のスクリーン１２の手前の逆洗用のゲート３７を開放しておく。その状態では夾雑物２１を含んだ水は、ゲート３５が引き上げられて通常の水の流れとは逆方向にスクリーン１２へ向けて流れるので、逆洗用のゲート３７を通って副水路３４等へ放流される。
スクリーン（１ａ）１２から分離し、段差２２部分に取り残された夾雑物（イ）２１は、スクリーン（１ａ）１２による拘束がなくなっており、水の流れに乗って通常の水の流れとは逆方向に排除される。
【００１８】
図５はこの発明の除塵用スクリーンの他の実施例を示す概略正面図、図６は上記除塵用スクリーンを設置した状況を説明する概略図である。
【００１９】
図５および図６において、４１はコンクリート製の水路であり、その両側壁にはスクリーン４２を水路に取り付けるための回転軸４３が取り付けられている。スクリーン４２はこの例では円弧状をなしており、取り付け作業の際に昇降させる必要がなく、上方の開放していない水路、例えば閉鎖水路に設置することができる。
図において４４は多数のスクリーン４２を連結する固定軸で、連結アーム４５を介して回転軸４３に取り付けられている。
【００２０】
上記スクリーン４２の上部には、降下式レーキ４６がスクリーン４２と同軸にすることにより、回転軸４３上に取り付けられており、その爪部４７がスクリーン４２の隙間にはめ込まれる状態で下向きに保持されている。この降下式レーキ４６の駆動は、上記回転軸４３を中心として降下時にはそれ自体の自重で降下させ、引き揚げる際は巻き上げ式ワイヤによって回動させたり、油圧シリンダその他の駆動装置で回動させたりすることができる。
もちろん、前記した実施例における（ａ）〜（ｄ）のステップをこの実施例においても採用し、一連のステップを制御システムにおいてプログラムすることにより、スクリーンにおける除塵機能を自動的に維持させることができ、その場合においても夾雑物を水中で処理するために産業廃棄物が発生せず、除塵システムを簡素化することができる。
すなわち、降下式レーキ４６を所定の位置まで降ろすと、夾雑物は降下式レーキ４６の下に移動する。
水路中の水の流れを逆方向にすると、スクリーン４２から分離した夾雑物は、水の流れに乗って通常の水の流れとは逆方向に排除される。
【産業上の利用可能性】
【００２１】
この発明の除塵用スクリーンは、コンクリート製水路の水門や小型発電設備のための取水口の前方等に設置されるばかりでなく、種々の水路に使用される除塵用スクリーンとして使用することができる。
【図面の簡単な説明】
【００２２】
【図１】この発明の除塵用スクリーンの１実施例を示す概略正面図である。
【図２】可動スクリーン部分の概略側面図である。
【図３】夾雑物の処理工程を示す説明図である。
【図４】この発明の除塵用スクリーンを設置した水路を説明する概略図である。
【図５】この発明の除塵用スクリーンの他の実施例を示す概略正面図である。
【図６】上記除塵用スクリーンを設置した状況を説明する概略図である。
【符号の説明】
【００２３】
１１  水路
１２  可動スクリーン
１３  ガイド溝
１４  スクリーン固定軸
１５  降下式レーキ
１６  爪部
２１  夾雑物
２２  段差
３１  河川
３２  ゲート
３３  簡易型発電設備
３４  副水路
３５  ゲート
３６  主ゲート
３７  逆洗用ゲート
４１  水路
４２  可動スクリーン
４３  回転軸
４４  固定軸
４５  連結アーム
４６  降下式レーキ
４７  爪部
【図１】
2008297724.tif 000003
【図２】
2008297724.tif 000004
【図３】
2008297724.tif 000005
【図４】
2008297724.tif 000006
【図５】
2008297724.tif 000007
【図６】
2008297724.tif 000008